(57)【要約】【課題】  用紙製造用の抄紙機のような大掛かりな装置を用いなくても、鮮明なすかし模様を形成でき、製品ごとに異なる模様を形成することが可能であり、故に、オンデマンドによる作製もできる透過画像形成体及びその作製方法を提供する。【解決手段】  本発明は、浸透を有する基材の第１の層及び透明フィルム基材の第２の層が積層された形成体であって、第１の層の少なくとも一部に、透明フィルムの一部が溶融し、第１の層に浸透して形成された第１の層と透過光量の異なる第１の画像部が形成され、形成体を透過光下で第１の層側から観察すると、第１の画像部がすかし模様として視認されることを特徴とする透過画像形成体である。【選択図】  図２
2015074156.tif 000002
【特許請求の範囲】
【請求項１】
浸透を有する基材の第１の層及び透明フィルム基材の第２の層が積層された形成体であって、
前記第１の層の少なくとも一部に、前記透明フィルムの一部が溶融し、前記第１の層に浸透して形成された前記第１の層の他の領域より透過光量が高い第１の画像部が形成され、
前記形成体を透過光下で前記第１の層側から観察すると、前記第１の画像部がすかし模様として視認されることを特徴とする透過画像形成体。
【請求項２】
前記第２の層は、少なくとも一つのＰＥＴＧ層と、前記第１の層とは異なる色の色材層から成ることを特徴とする請求項１記載の透過画像形成体。
【請求項３】
前記第２の層は、前記第１の層とは異なる色に着色された前記ＰＥＴＧ層から成ることを特徴とする請求項１記載の透過画像形成体。
【請求項４】
前記第１の層とは反対側に前記第２の層に更に隣接して浸透を有する基材の第３の層が積層され、
前記第３の層の少なくとも一部に、前記透明フィルムの一部が溶融して前記第３の層に浸透して形成された前記第３の層の他の領域より透過光量が高い第２の画像部が形成され、
前記形成体を透過光下で前記第１の層側から観察すると、前記第１の画像部がすかし模様として視認され、前記第３の層側から観察すると、前記第２の画像部がすかし模様として視認されることを特徴とする請求項１乃至３のいずれか１項記載の透過画像形成体。
【請求項５】
前記第２の層は、少なくとも二つのＰＥＴＧ層と、前記ＰＥＴＧ層に挟まれた少なくとも一つの前記色材層から成ることを特徴とする請求項４記載の透過画像形成体。
【請求項６】
浸透を有する基材による第１の層と透明フィルム基材による第２の層が積層され、一部の領域にすかし模様が形成され、前記すかし模様が主体的に前記第１の層側から視認可能な透過画像形成体の作製方法であって、
前記すかし模様の基画像を画像処理装置を用いて作製又はあらかじめ作製済みの画像を取得する画像設定工程と、
前記設定された基画像を、第２の層の透明フィルムの一方の面の少なくとも一部に、熱加工により表面を変性させて第１の画像部を形成する画像形成工程と、
前記第１の画像部が形成された側の前記透明フィルムの一方の面に、浸透を有する基材を熱圧着する圧着工程を有することを特徴とする透過画像形成体の作製方法。
【請求項７】
前記画像設定工程は、異なる二つの前記すかし模様の基画像を設定し、
前記画像形成工程は、前記異なる二つの基画像における一方の画像を、前記透明フィルムの一方の面の少なくとも一部の第１の領域に、熱加工により表面を変性させて第１の画像部を形成する第１の画像形成工程と、
前記異なる二つの基画像における他方の画像を、前記透明フィルムの他方の面の少なくとも一部の第２の領域に、熱加工により表面を変性させて第２の画像部を形成する第２の画像形成工程と、
前記圧着工程は、前記第２の層の両面に浸透を有する基材を熱圧着することを特徴とする請求項６記載の透過画像形成体の作製方法。
【請求項８】
前記画像形成工程は、炭酸ガスレーザにより熱加工を施すことを特徴とする請求項６又は７記載の透過画像形成体の作製方法。
【請求項９】
前記画像形成工程よりも前に、前記第２の層に色材層を形成する色材層形成工程を更に有する請求項６乃至８のいずれか１項記載の透過画像形成体の作製方法。
【請求項１０】
前記画像設定工程は、複数の異なる前記基画像を設定し、
前記画像形成工程は、異なる前記透明フィルムに対して、各々前記異なる基画像を形成することで、可変模様として前記すかし模様を形成可能なことを特徴とする請求項６乃至９のいずれか１項記載の透過画像形成体の作製方法。
【発明の詳細な説明】
【技術分野】
【０００１】
本発明は、偽造防止効果を必要とする銀行券、パスポート、有価証券、身分証明書及びカード等のセキュリティ分野において、透過光下で視認可能となる透かし画像を鮮明に形成し、かつ、異なる形成体ごとに透かし画像を変化させて形成することが可能な透過画像形成体及びその作製方法に関する。さらに、表裏で異なる透かし画像を形成することが可能な形成体及びその作製方法に関する。
【背景技術】
【０００２】
銀行券、パスポ−ト、有価証券及びカード等に代表されるセキュリティ製品には、複製や偽造を防止するために、偽造防止技術が必要とされている。特に、偽造防止技術の中でも、すかしに代表されるように、道具を必要とせず、製品を手にした全ての人が真偽判別に利用することができる偽造防止技術が特に必要とされている。
【０００３】
このすかしについては、古くから紙の製造工程において、繊維密度を変化させて形成することが一般的に知られている。ただし、この紙にすかし模様を形成する方法は、円網抄紙機や長網抄紙機のような大掛かりな製造装置を要するものであり、基本的に形成されるすかし模様は、同一の模様となってしまう。
【０００４】
また、前述のような大掛かりな装置を用いず、印刷技術を用いて擬似的にすかし模様を形成する方法がある。これは、浸透型のインキを用いて模様を印刷し、模様部とその他の領域とを透過光量を異ならせる技術であるが、浸透型インキは透明性を有しているため、反射光下では模様を視認することができないが、透過光下では、浸透型インキにより形成された模様部と他の領域との透過光量の差により透かし模様が視認できる技術である。
【０００５】
この印刷による擬似すかしは、版面を交換すれば、異なる印刷物ごとに模様を変化させることは、抄紙機を用いてすかし模様を形成することよりは比較的容易に実施可能ではあるが、１枚ごとに変化させることは実質上不可能である。
【０００６】
さらに、紙へ施すすかし模様及び印刷により施す擬似すかしについては、透過光下では基材に対してどちら側の面から観察しても一つの模様しか視認できないものであったが、近年、多層構造を用いることにより、基材に対して両方での観察で異なるすかし模様を視認できる技術が開示されている。
【０００７】
例えば、第１層の紙に第１透かし又は擬似透かしを有し、第２層の紙に第２透かし又は擬似透かしを有することで、表裏で異なる透かしが視認できるシートが開示されている（例えば、特許文献１参照）。またこのシートは、第１層と第２層の間に光を拡散し、かつ、透過性を有する中間層を有することで、より一層表裏で視認できる透かしが鮮明に視認できるものである。
【０００８】
また、複数の紙片を接着剤により剥離不能に接着される積層体において、積層体の一部層間に、印刷インキにより埋込情報を印刷することで、埋込情報が印刷された部分が積層体形成の加圧により厚さ方向で他の部分よりも密となることで透かし形態で視認することが可能な情報形成シートが開示されている（例えば、特許文献２参照）。
【先行技術文献】
【特許文献】
【０００９】
【特許文献１】特許第４３６８２７８号公報
【特許文献２】特表２０１１−５００９７４号公報
【発明の概要】
【発明が解決しようとする課題】
【００１０】
しかしながら、特許文献１記載の技術は、表裏で異なるすかし模様を視認することができるが、紙自体に透かしを形成するため、従来のすかし技術と同様、大掛かりな製造装置を要するものであり、シートごとに模様を変化させることは実施上不可能である。また、擬似透かしを形成する場合には、特定物質を塗布することにより繊維層の透過性を変更して形成又はエンボスにより形成することが可能と記載されているが、特定物質を塗布する形成方法では、特定物質の浸透範囲が所望する部分に確定されるものではなく、形成されたすかし模様に鮮明さが欠けてしまうという問題がある。またエンボスによる形成においても、繊維量を変化させるものではないため、鮮明なすかし模様を形成することが困難である。
【００１１】
特許文献１における透かし又は擬似透かしは、どちらも鮮明なすかし模様を形成することが困難であるとともに、シートごとに異なるすかし模様を形成することはできないという問題があった。
【００１２】
また、特許文献２記載の技術は、スクリーン印刷又はディスペンサによって印刷インキが埋込情報の形態に応じて形成されることで、透かし形態で視認することができるため、シートごとに埋込情報を変化させることも可能ではあるが、印刷インキ等を用いて積層された複数の紙の間に模様を形成するため、透過光下での観察では、その模様が鮮明には視認できないという問題があった。
【００１３】
本発明は、このような従来の問題を解決することを目的としたもので、用紙製造用の抄紙機のような大掛かりな装置を用いなくても、鮮明なすかし模様を形成でき、製品ごとに異なる模様を形成することが可能であり、故に、オンデマンドによる作製もできる透過画像形成体及びその作製方法を提供する。
【００１４】
また、すかし模様を二つ形成した場合には、基材の表裏で異なる模様とすることが可能な透過画像形成体及びその作製方法を提供する。
【課題を解決するための手段】
【００１５】
本発明は、浸透を有する基材の第１の層及び透明フィルム基材の第２の層が積層された形成体であって、第１の層の少なくとも一部に、透明フィルムの一部が溶融し、第１の層に浸透して形成された第１の層の他の領域より透過光量が高い第１の画像部が形成され、形成体を透過光下で第１の層側から観察すると、第１の画像部がすかし模様として視認されることを特徴とする透過画像形成体である。
【００１６】
また、本発明の透過画像形成体における第２の層は、少なくとも一つのＰＥＴＧ層と、第１の層の色とは異なる色の色材層から成ることを特徴とする。
【００１７】
また、本発明の透過画像形成体における第２の層は、第１の層の色とは異なる色で着色されたＰＥＴＧ層から成ることを特徴とする。
【００１８】
また、本発明の透過画像形成体は、第１の層とは反対側に第２の層に更に隣接して浸透を有する基材の第３の層が積層され、第３の層の少なくとも一部に、透明フィルムの一部が溶融し、第３の層に浸透して形成された第３の層の他の領域より透過光量が高い第２の画像部が形成され、形成体を透過光下で第１の層側から観察すると、第１の画像部がすかし模様として視認され、第３の層側から観察すると、第２の画像部がすかし模様として視認されることを特徴とする。
【００１９】
また、本発明の透過画像形成体における第２の層は、少なくとも二つのＰＥＴＧ層と、そのＰＥＴＧ層に挟まれた少なくとも一つの色材層から成ることを特徴とする。
【００２０】
また、本発明は、浸透を有する基材による第１の層と透明フィルム基材による第２の層が積層され、一部の領域にすかし模様が形成され、すかし模様が主体的に第１の層側から視認可能な透過画像形成体の作製方法であって、すかし模様の基画像を画像処理装置を用いて作製又はあらかじめ作製済みの画像を取得する画像設定工程と、設定された基画像を、第２の層の透明フィルムの一方の面の少なくとも一部に、熱加工により表面を変性させて第１の画像部を形成する画像形成工程と、第１の画像部が形成された側の透明フィルムの一方の面に、浸透を有する基材を熱圧着する圧着工程を有することを特徴とする透過画像形成体の作製方法である。
【００２１】
また、本発明の透過画像形成体の作製方法における画像設定工程は、異なる二つのすかし模様の基画像を設定し、画像形成工程は、異なる二つの基画像における一方の画像を、透明フィルムの一方の面の少なくとも一部の第１の領域に、熱加工により表面を変性させて第１の画像部を形成する第１の画像形成工程と、異なる二つの基画像における他方の画像を、透明フィルムの他方の面の少なくとも一部の第２の領域に、熱加工により表面を変性させて第２の画像部を形成する第２の画像形成工程と、圧着工程は、第２の層の両面に浸透を有する基材を熱圧着することを特徴とする。
【００２２】
また、本発明の透過画像形成体の作製方法における画像形成工程は、炭酸ガスレーザにより熱加工を施すことを特徴とする。
【００２３】
また、本発明の透過画像形成体の作製方法は、画像形成工程よりも前に、第２の層に色材層を形成する色材層形成工程を更に有することを特徴とする。
【００２４】
さらに、本発明の透過画像形成体の作製方法において、画像設定工程は、複数の異なる基画像を設定し、画像形成工程は、異なる透明フィルムに対して、各々異なる基画像を形成することで、可変模様としてすかし模様を形成可能なことを特徴とする。
【発明の効果】
【００２５】
本発明は、用紙製造段階で形成するすかし模様のように、大掛かりな装置を用いなくても鮮明なすかし模様を形成することが可能である。
【００２６】
また、本発明は、透過画像形成体の表裏に異なるすかし模様を形成すると、透過光下において、表裏で異なるすかし模様を確認することが可能である。
【００２７】
また、本発明は、色材層を形成することで、色の着いたすかし模様を形成することができる。
【００２８】
また、本発明は、透明フィルムに模様を形成するため、製品ごとに模様を変化させることが可能である。したがって、オンデマンドによる可変情報としても模様を付与可能である。
【図面の簡単な説明】
【００２９】
【図１】本発明の第１の実施形態における透過画像形成体を示す図である。
【図２】透過画像形成体に対する観察状態を説明する図である。
【図３】本発明の形成体の作製方法を説明するためのフローチャートである。
【図４】第１の実施形態の変形例を示す図である。
【図５】第１の実施形態の変形例に対する反射光下における観察状態を説明する図である。
【図６】第１の実施形態の変形例に対する透過光下における観察状態を説明する図である。
【図７】本発明の第２の実施形態における透過画像形成体を示す図である。
【図８】第２の実施形態の別の例を示す図である。
【図９】第２の実施形態に対する反射光下における観察状態を説明する図である。
【図１０】第２の実施形態に対する透過光下における観察状態を説明する図である。
【図１１】第２の実施形態の変形例を示す図である。
【図１２】第２の実施形態の変形例に対する反射光下における観察状態を説明する図である。
【図１３】第２の実施形態の変形例に対する透過光下における観察状態を説明する図である。
【図１４】実施例１における透過画像形成体を示す図である。
【図１５】実施例１における透過画像形成体の観察状態を説明するための図である。
【図１６】実施例２における透過画像形成体を示す図である。
【図１７】実施例２の透過画像形成体に対する反射光下における観察状態を説明する図である。
【図１８】実施例２の透過画像形成体に対する透過光下における観察状態を説明する図である。
【発明を実施するための形態】
【００３０】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００３１】
（第１の実施形態）
図１に、本発明における透過画像形成体（以下、「形成体」という。）（１）を示す。図１（ａ）は、形成体（１）を反射光下で視認した場合の模式図であり、図１（ｂ）は、図１（ａ）におけるＡ−Ａ’断面図である。形成体（１）は、図１（ｂ）に示すように、少なくとも浸透を有する基材の第１の層（２）と透明フィルム基材の第２の層（３）が積層されて形成されている。この第１の層（２）と第２の層（３）の層間の少なくとも一部に、本発明の特徴点である第１の画像部（４）が形成されている。なお、第１の画像部（４）は、主体的に第１の層（２）側から透過光下で観察した場合に視認できる「すかし模様」であるため、図１（ａ）は、第１の層（２）側から反射光下で観察した模式図であるため、第１の画像部（３）は「すかし模様」として視認できない。
【００３２】
図２は、形成体（１）の観察状態を示すための模式図である。図２（ａ）は、形成体（１）を第１の層（２）側から反射光下で観察した状態を示す図である。前述したように、反射光下では第１の画像部（４）は視認できず、浸透を有する基材のみの状態として視認される。この形成体（１）を図２（ｂ）のように、第１の層（２）側から透過光下で観察すると、第１の画像部（４）が「すかし模様」として視認できる。
【００３３】
第１の層（２）については、微細な繊維によって構成されるシートである必要がある。その理由については、第２の層（３）の熱により変性した物質が熱圧着によって第１の層（２）の繊維の空隙に浸透することで、第１の層（２）の局所的な光に透過率が変化する現象を利用しているためである。第１の層（２）の具体的な基材としては、紙、不織布、多孔質なコーティング材が挙げられる。以下、第１の層（２）を紙基材として説明する。
【００３４】
次に第２の層（３）について説明する。第２の層（３）は、反射光下では不可視であり、透過光下で視認できることが必要となるため、透明、且つ、レーザ照射等による熱で基材の融点よりも低い温度で溶融するように変性する基材である必要がある。具体的に使用可能な基材の例としては、ＰＥＴＧ、ポリウレタン等が挙げられる。以下、第２の層（３）の透明フィルムはＰＥＴＧとして説明する。
【００３５】
以上の第１の層（２）及び第２の層（３）を用いて実際に第１の画像部（４）を形成する方法について図３を用いて説明する。まず、Ｓｔｅｐ１として、すかし模様として形成体に形成したい基画像を設定する画像設定工程から始まる。この基画像の設定については、あらかじめ形成されている基画像を外部入力により取得しても良いし、画像処理装置を用いて所望の画像を作製してから、外部入力により取得しても良い。どちらの方法によっても、形成したい画像を設定して、次の工程に使用するレーザ装置又は超音波加工装置等に画像を設定するものである。なお、作製する画像は、図２（ｂ）に示すような模様に限らず、文字、図形、記号等、特に限定されるものではない。また、後述するオンデマンドによる形成に対応するように、複数の基画像を設定することでも良い。
【００３６】
次のＳｔｅｐ２として、第１の画像部（４）となるＳｔｅｐ１で設定した画像を第２の層（３）の少なくとも一部の領域に熱加工により形成する画像形成工程を行う。本発明における熱加工とは、炭酸ガスレーザを用いることが好ましい。一般的なレーザマーキングにおいて、発振波長が近赤外や可視光領域のレーザが用いられることがあるが、これらのレーザでは、透明基材である第２の層（３）への透過率が高く、第２の層（３）の表面に十分な加工を施すことが困難である。炭酸ガスレーザの発振波長は１０μｍ前後であり、第２の層（３）を透過せずに第２の層（３）の表面で光エネルギーが吸収され、熱加工が可能である。第１の画像部（４）の形成方法は、画像データの画素値に応じてレーザのオン・オフをしながら第２の層（３）の表面をラスタースキャンすることで行う。
【００３７】
また、別の熱加工の方法としては、超音波ウェルダーと呼ばれる超音波溶着機の振動子と固定された加工治具で第２の層（３）を挟み込み、瞬間的に超音波振動によって第１の画像部（４）を形成することもできる。振動子とは、ホーンとも呼ばれ、超音波の振動エネルギーを効率よく伝達させるための共振体のことである。加工治具とは、アンビルとも呼ばれ、ホーンからの超音波振動を効率良く受け、振動子と加工治具の間にある被加工物を適切に加工するためのものである。第２の層（３）に接する振動子の表面に所望の型形状を施すことにより、振動子、第２の層（２）のＰＥＴＧ及び加工治具との間に摩擦熱が発生し、第２の層（３）には、所望の型形状の第１の画像部（４）が形成されることとなる。なお、該技術の特長としては、溶着部周辺への熱等の影響が全くないことである。
【００３８】
図１及び図２で説明した第１の層（２）及び第２の層（３）によって形成された形成体（１）については、Ｓｔｅｐ２の画像形成工程は一つだけであるが、後述する、もう一つ紙基材の第３の層（５）を積層して形成する場合には、第２の層（３）の表裏に画像を形成することとなるため、一方の表面に画像を形成する第１の画像形成工程と、他方の表面に画像を形成する第２の画像形成工程を行うこととなる。いずれの工程も、対象が第２の層（３）の表面となるか、裏面となるかの違いだけであり、行う作業は同じである。
【００３９】
最後に、Ｓｔｅｐ３として、第１の画像部（４）が形成された透明フィルムの第２の層（３）と、紙基材の第１の層（２）を積層して一体化する圧着工程について説明する。炭酸ガスレーザによって第１の画像部（４）を形成した第２の層（３）の面に紙基材の第１の層（２）を積層し、この一体化された形成体（１）の表裏から熱と圧力をかけて密着することで、第１の層（２）と第２の層（３）を接着する。この際、第２の層（３）が熱により軟化し、第２の層（３）の表面の一部が第１の層（２）の表面の繊維の隙間に食い込む程度の温度と圧力であり、かつ、第２の層（３）の第１の画像部（４）が溶融し、第１の層（２）の繊維間に浸透する熱圧着条件とする。
【００４０】
例えば、第１の層（２）に一般的なコピー用途に用いる上質紙、第２の層（３）に厚み約１ｍｍの透明ＰＥＴＧを用い、双方を７０ｍｍ×１００ｍｍのサイズで行った場合、温度１１０℃、加圧２０ｋＮの条件で、第１の層（２）と第２の層（３）が強固に接着するとともに、第１の画像部（４）が溶融して繊維間に浸透し、「すかし模様」の第１の画像部（４）を形成することができる。
【００４１】
圧着工程についても、第２の層（３）の表裏に画像部を形成する場合、第３の層（５）を第２の層（３）に圧着する必要があるが、第１の層（２）を第２の層（３）に圧着する方法と同様のため、説明は省略する。
【００４２】
以上、形成体（１）を作製する方法について図３のフローチャートを用いて説明したが、本発明の別の形態として、出現する「すかし模様」を色彩豊かに視認させるために、後述する色材層（７）を第２の層（３）に形成する方法もあるが、詳細については、第２の実施形態で色材層（７）を説明するところで併せて説明する。
【００４３】
ここで、本発明の特徴点である第１の画像部（４）が、第１の層（２）と第２の層（３）を一体化した形成体（１）となった際に「すかし模様」となる原理について説明する。第２の層（３）の透明フィルムに形成された第１の画像部（４）は、レーザによる熱加工により、透明フィルムは、レーザが照射されていない部分よりも低い温度で溶融するよう変性している。そのため、第２の層（３）の透明フィルムと第１の層（２）の紙基材の熱圧着によって、第２の層（３）の透明フィルムの第１の画像部（４）は溶融して第１の層（２）の繊維間に浸透し、かつ、第１の画像部（４）以外の領域は、第２の層（３）の表面が第１の層（２）の表面の繊維の隙間に食い込む程度となる。これを透過光下で観察した場合、第１の画像部（４）は、第１の層（２）の繊維間が第２の層（３）から浸透した溶融物で埋められているため、透過光の乱反射が減じて、同じ第１の層（２）の他の領域よりも透過光量が増え（高く）、その結果明るく見える。第１の画像部（４）以外の領域では、第１の画像部（４）のように第１の層（２）の繊維間が埋められることはないため、第２の層（３）と第１の層（２）を積層しても、透過光量の変化はほとんど無い。
【００４４】
次に、前述した形成体（１）の構成に対し、更に紙基材の第３の層（５）を積層した形態について説明する。なお、第１の実施形態と同じ構成については説明を省略する。
【００４５】
図４（ａ）は、本発明の第１の実施形態の変形例における形成体（１）を反射光下で視認した場合の模式図であり、図４（ｂ）は、図４（ａ）におけるＡ−Ａ’断面図である。変形例における形成体（１）は、図４（ｂ）に示すように、少なくとも紙基材の第１の層（２）と透明フィルム基材の第２の層（３）及び紙基材の第３の層（５）が順次積層されて形成されている。したがって、前述した第１の実施形態に対しては、第２の層（３）に隣接して積層された第１の層（２）とは反対側に第３の層（５）が第２の層（３）に隣接して積層されており、第１の層（２）と第３の層（５）により第２の層（３）を挟んだ状態となっている。
【００４６】
第１の実施形態同様、第１の層（２）と第２の層（３）の層間の少なくとも一部の第１の領域に、第１の画像部（４）が形成されており、更に、第２の層（３）と第３の層（５）の層間の少なくとも一部の第２の領域に、第２の画像部（６）が形成されている。なお、第２の画像部（６）も、第１の画像部（３）同様、主体的に第３の層（５）側から透過光下で観察した場合に視認できる「すかし模様」であるため、図４（ａ）では、第１の画像部（３）及び第２の画像部（６）共に視認できない。
【００４７】
図５及び図６は、変形例における形成体（１）の観察状態を示すための模式図である。図５（ａ）は、形成体（１）を第１の層（２）側から反射光下で観察した状態を示す図である。前述したように、反射光下では第１の画像部（４）は視認できず、紙基材のみの状態として視認される。また、図５（ｂ）は、形成体（１）を第３の層（５）側から反射光下で観察した状態を示す図である。反射光下では第２の画像部（６）は視認できず、紙基材のみの状態として視認される。
【００４８】
次に、この形成体（１）を透過光下で観察した場合を図６で説明する。図６（ａ）は、形成体（１）を第１の層（２）側から透過光下で観察した状態を示す図である。この観察状態では第１の画像部（４）が「すかし模様」として視認され、第２の画像部（６）は視認できない。逆に、図６（ｂ）に示すように、形成体（１）を第３の層（５）側から透過光下で観察した場合は、第２の画像部（６）が「すかし模様」として視認され、第１の画像部（３）は視認できない。ここで第２の画像部（６）についても、前述した第１の画像部（４）と同様、第３の層（５）の他の領域よりも透過光量は異なって高くなっている。
【００４９】
第２の画像部（６）を形成する方法については、第１の画像部（４）を形成する方法と同様であるため、説明は省略するが、第１の画像部（４）と第２の画像部（６）は、それぞれ透明フィルムの第２の層の表裏に形成する。図４から図６では、第１の画像部（４）と第２の画像部（６）は第２の層（３）の表裏に対して同じ位置に形成されているが、必ず同じ位置に形成されていなくても良い。
【００５０】
第２の層の表裏に、それぞれ炭酸ガスレーザにより第１の画像部（４）及び第２の画像部（６）を形成し、この表裏に第１の層（２）と第３の層（５）となる紙基材を積層し、この積層体の表裏から熱と圧力をかけて密着することで、第１の層（２）、第２の層（３）、第３の層（５）を接着して一体化した形成体（１）を形成する。第１の画像部（４）と第２の画像部（６）を形成する位置は、前述のとおり、表裏で重複していてもよいし、重複していなくてもよい。ただし、視認できるすかし模様は、透過光下で、観察している側に形成された画像部であり、光源側、つまり、観察している側の反対の側に形成された画像部は視認困難となる。
【００５１】
また、第２の画像部（６）に形成する画像についても、前述した第１の画像部（４）と同様、オンデマンドによる可変情報の付与として、形成体（１）ごとに異なる画像を形成することも可能である。
【００５２】
（第２の実施形態）
本発明の形成体（１）は、色材層（７）を設けることで、基材色、所謂第１の層（２）又は第３の層（５）の色とは異なる色の「すかし模様」を形成することも可能である。以下、第２の実施形態として、形成体における色の着いた「すかし模様」について説明する。
【００５３】
図７は、形成体（１）に更に色材層（７）を設けたものである。色材層（７）は、第１の画像部（４）のみを形成する形態の場合、図７（ａ）に示すように、透明フィルムから成る第２の層（２）において、第１の画像部（４）が形成されている面とは反対側の面側に第２の層（２）に接するように設ける。なお、この色材層（７）は、着色されている透明フィルムであれば特に限定はない。
【００５４】
この色材層（７）は、図７（ａ）に示すように、基材となる第１の層（２）と同じ大きさでもよく、また、図７（ｂ）のように、第１の層（２）よりは小さいが第１の画像部（３）よりは大きくてもよく、更には、図７（ｃ）のように、第１の画像部（４）よりも小さくてもよい。図７（ａ）又は図７（ｂ）の場合には、視認できる「すかし模様」全体が色材層（７）の色となって視認できることとなり、図７（ｃ）の場合には、色材層（７）の大きさの範囲のみ着色された「すかし模様」が視認できることとなる。
【００５５】
また、図８に示すように、第２の層（３）の透明ＰＥＴＧ自体が有色となっていても良い。このような有色のフィルムは市販品を用いることで構わない。
【００５６】
色材層（７）が図８のように、第２の層（３）自体を共有している場合には、色材層（７）を設けるための工程を新たに有しないが、図７に示すように、第１の画像部（４）が形成されている第２の層（３）の面とは反対側の面側に色材層（７）を形成する場合には、図３で示すように、色材層形成工程として画像形成工程を行うまでに行う。色材層（７）を第２の層（３）に積層する方法は、熱圧着でもよいし、所定の接着剤を用いて形成してもよい。
【００５７】
色材層（７）を設けた形成体（１）を反射光下で観察すると、第１の層（２）側からは図９（ａ）に示すように、第１の層（２）の色として視認される。前述したように、第１の画像部（３）で形成された「すかし模様」は視認できない。形成体（１）を反転させて色材層（７）側から見ると、色材層（７）の色として視認される。
【００５８】
この形成体（１）を図１０（ａ）に示すように透過光下で第１の層（２）側から観察すると、図１０（ｂ）に示すように、形成した第１の画像部（３）が色材層（７）の色を成した「すかし模様」として視認できる。
【００５９】
次に、第１の画像部（３）と第２の画像部（６）の二つの画像部を形成した形態において、色材層（７）を設ける形態を説明する。図１１は、第１の画像部（３）と第２の画像部（６）が形成されている形成体（１）である。図１１（ａ）は、色材層（７）が、二つの画像部が形成されている第２の層（３−１）及び(３−２)の間に挟まれるように設けられている。この色材層（７）が第２の層（３）の透明フィルムの間に挟まれているような形態についても、色材層（７）を形成する方法を前述したとおり、熱圧着による接着や接着剤を用いた接着等、特に限定はなく、第１の画像部（４）及び第２の画像部（６）を形成する画像形成工程よりも前までに行っておけばよい。
【００６０】
また、図８を用いて説明したように、図１１（ｂ）に示すように、第２の層（３）自体が着色されて色材層（７）となっていてもよい。
【００６１】
この色材層（７）を中間に設けた形成体（１）を反射光下で観察すると、第１の層（２）側からは図１２（ａ）に示すように、第１の層（２）の色として視認される。前述したように、第１の画像部（３）で形成された「すかし模様」は視認できない。また、図１２（ｂ）に示すように、形成体（１）を反転させて第３の層（５）側から見ても、やはり第３の層（５）の色として視認され、第２の画像部（６）で形成された「すかし模様」は視認できない。
【００６２】
この形成体（１）を図１３（ａ）に示すように透過光下で第１の層（２）側から観察すると、形成した第１の画像部（３）が色材層（７）の色を成した「すかし模様」として視認できる。また、形成体（１）を反転させて、図１３（ｂ）に示すように透過光下で第３の層（５）側から観察すると、形成した第２の画像部（６）が色材層（７）の色を成した「すかし模様」として視認できる。
【００６３】
このように、第１の層（２）と第３の層（５）に第２の層（３）が挟まれた形態において、第２の層（３）の中間に色材層（７）又は第２の層（３）自体が着色されて色材層（７）を兼ねる場合も、図示はしないが、前述したように色材層の大きさは、第１の層（２）及び第３の層（５）と同一でもよいし、それよりも小さくてもよい。さらには第１の画像部（４）及び／又は第２の画像部（６）よりも小さくてもよい。
【００６４】
以上、本発明における透過画像形成体について説明したが、本発明において特徴となる「すかし模様」を確認することが真偽判別の一助になることは、銀行券を筆頭に、広く知られていることである。その中でも、本発明は、画像設定工程自体が、画像データを用いてレーザ装置により「すかし模様」を形成することができるため、前述したように、画像設定工程において、複数の基画像を設定することで、画像加工工程において形成体ごとに異なる画像をオンデマンドで形成することが可能であり、例えば、パスポートやＩＤカードのように個々に異なる情報が記録されたものに応用した場合、個別情報を「すかし模様」として施すこともできる。したがって、「すかし模様」をオンデマンドにより可変情報として付与可能である。本発明による「すかし模様」は、汎用のコピー機やプリンタでは容易に作製できないことから、偽造防止技術の一つとして有意義である。
【実施例１】
【００６５】
以下、前述の発明を実施するための形態にしたがって、具体的に作製した形成体（１）の実施例について詳細に説明するが、本発明は、この実施例に限定されるものではない。
【００６６】
図１４（ａ）に、本実施例１における形成体（１’）を示す。形成体（１’）は、図１４（ｂ）に示すように、第２の層（３’）の厚み約１ｍｍ、縦横７×１０ｃｍの透明ＰＥＴＧシート、その表面に炭酸ガスレーザマーカ（Keyence ML-G9300）を用いて形成した第１の画像部（４’）、さらに、その第１の画像部（４’）を挟むように第１の層（２’）の白色上質紙（しらおい  日本製紙製）から成る。
【００６７】
第１の画像部（４’）は、図１４（ｃ）に示すように、ディザで２値化した黒反転疑似階調画像（約４×３ｃｍ）の富嶽三十六景「神奈川沖浪裏」とし、解像度４００ｄｐｉ、スキャンスピード２０００ｍｍ／ｓで第２の層（３’）にマーキングした。この際、レーザ照射部の基材は熱によって表面が溶融している状態であった。
【００６８】
第２の層（３’）に第１の画像部（４’）をレーザによりマーキングした後、第１の層（２’）の白色上質紙をレーザ照射した第２の層（３’）の面に重ね、温度１１５℃、圧力２０ｋＮの条件で熱圧着した。白色上質紙と透明ＰＥＴＧは密着し、形成体（１’）が完成した。
【００６９】
この形成体（１’）を観察した状態を示すのが図１５である。図１５（ａ）に示すように、反射光では階調画像がほぼ視認できない程度であったが、図１５（ｂ）に示すように、透過光下で観察した場合、第１の画像部（４’）の富嶽三十六景「神奈川沖浪裏」が階調画像として明瞭に視認することができた。
【実施例２】
【００７０】
図１６（ａ）に、本実施例２における形成体（１’’）を示す。形成体（１’’）は、図１６（ｂ）に示すように、第２の層（３’’）の厚み約１ｍｍ、縦横７×１０ｃｍの透明ＰＥＴＧシート、その一方の面に炭酸ガスレーザマーカ（Keyence ML-G9300）を用いて形成した第１の画像部（４’’）と、その反対側に第２の画像部（６’’）、さらに、この第２の層（３’’）を挟むように、第２の層（３’’）の両側に第１の層（２’’）及び第３の層（５’’）の白色上質紙（しらおい  日本製紙製）から成る。
【００７１】
第１の画像部（４’’）は、図１６（ｃ）に示すように、ディザで２値化した白黒反転疑似階調画像（約４×３ｃｍ）の富嶽三十六景「神奈川沖浪裏」とし、また第２の画像部（６’’）は、図１６（ｄ）に示すように白黒反転疑似階調画像の鳳凰として、解像度４００ｄｐｉ、スキャンスピード２０００ｍｍ／ｓでマーキングした。
【００７２】
第２の層（３’’）の一方の面側に第１の画像部（４’’）及び他方の面側に第２の画像部（６’’）をレーザによりマーキングした後、第１の層（２’’）の白色上質紙をレーザ照射した第２の層（３’’）の両面に重ね、温度１１５℃、圧力２０ｋＮの条件で熱圧着し、形成体（１’’）が完成した。
【００７３】
この形成体（１’’）を観察した状態を示すのが図１７及び図１８である。図１７は、形成体（１’’）を反射光下で観察した状態を示す図であり、上質紙と透明ＰＥＴＧは密着しており、反射光では形成体（１’’）のどちらの面側から観察しても、図１７（ａ）及び図１７（ｂ）のように、それぞれの面で階調画像がほぼ視認できない程度あった。
【００７４】
図１８は、形成体（１’’）を透過光下で観察した状態を示す図であり、図１８（ａ）のように、形成体（１’’）の一方の面側から透過光下で観察すると、第２の層（３’’）の一方の面側に形成された第１の画像部（４’’）の富嶽三十六景「神奈川沖浪裏」が「すかし模様」として視認でき、また、図１８（ｂ）のように、形成体（１’’）を反対にして、他方の面側から透過光下で観察すると、第２の層（３’’）の他方の面側に形成された第２の画像部（６’’）の鳳凰が視認でき、表裏で異なる階調画像が明瞭に視認することができた。
【符号の説明】
【００７５】
１、１’、１’’          透過画像形成体
２、２’、２’’          第１の層
３、３’、３’’          第２の層
４、４’、４’’          第１の画像部
５、５’、５’’          第３の層
６、６’、６’’          第２の画像部
７          色材層（着色フィルム）
【図１】
2015074156.tif 000003
【図２】
2015074156.tif 000004
【図３】
2015074156.tif 000005
【図４】
2015074156.tif 000006
【図５】
2015074156.tif 000007
【図６】
2015074156.tif 000008
【図７】
2015074156.tif 000009
【図８】
2015074156.tif 000010
【図９】
2015074156.tif 000011
【図１０】
2015074156.tif 000012
【図１１】
2015074156.tif 000013
【図１２】
2015074156.tif 000014
【図１３】
2015074156.tif 000015
【図１４】
2015074156.tif 000016
【図１５】
2015074156.tif 000017
【図１６】
2015074156.tif 000018
【図１７】
2015074156.tif 000019
【図１８】
2015074156.tif 000020